(57)【要約】【課題】容器本体に化粧皿を取り付ける際に、小さな力で取り付けることができて、容器本体や化粧皿が損傷したり、変形したりすることがなく、しかも、振動や衝撃等で化粧皿や化粧料が損傷等することがなく、しかも、接着剤を必要とせず、しかも、化粧皿が上下，左右にあまりがたつくことがない化粧料容器を提供する。【解決手段】上面に凹部１a が形成された容器本体１と、この容器本体１の上面を蓋する蓋体２と、上記容器本体１の凹部１a に収容される中枠装置３とを備えている。そして、上記中枠装置３が、化粧皿４と、この化粧皿４が着脱自在に収容される中枠６とで構成され、上記中枠６の左側壁１１ｂの一部分が、横方向に延びる帯状弾性板部１７に形成され、この帯状弾性板部１７の一部が折り曲げられて内側に突出する突出部に形成され、この突出部に突条１８ａが形成され、この突条１８ａに対応する上記化粧皿４の周側壁の部分に、上記突条１８ａに着脱自在に係合する凹溝４ａが形成されている。【選択図】図１
2005270194.tif 000002
【特許請求の範囲】
【請求項１】
上面に凹部が形成された容器本体と、この容器本体の上面を蓋する蓋体と、上記容器本体の凹部に着脱自在に収容される化粧皿とを備え、上記凹部の周側壁の一側壁の一部分が、横方向に延びる帯状弾性板部に形成され、この帯状弾性板部の一部が折り曲げられて内側に突出する突出部に形成され、この突出部に係合部が形成され、この係合部に対応する上記化粧皿の周側壁の部分に、上記係合部に着脱自在に係合する被係合部が形成されていることを特徴とする化粧料容器。
【請求項２】
上面に凹部が形成された容器本体と、この容器本体の上面を蓋する蓋体と、上記容器本体の凹部に収容される中枠装置とを備え、上記中枠装置が、化粧皿と、この化粧皿が着脱自在に収容される中枠とで構成され、上記中枠の周側壁の一側壁の一部分が、横方向に延びる帯状弾性板部に形成され、この帯状弾性板部の一部が折り曲げられて内側に突出する突出部に形成され、この突出部に係合部が形成され、この係合部に対応する上記化粧皿の周側壁の部分に、上記係合部に着脱自在に係合する被係合部が形成されていることを特徴とする化粧料容器。
【請求項３】
請求項２に記載の化粧料容器に用いられることを特徴とする中枠装置。
【請求項４】
上記中枠装置の中枠の周側壁の一側壁の一部分に形成された、横方向に延びる上下一対のスリットで挟まれた部分が帯状弾性板部に形成されている請求項３記載の中枠装置。
【請求項５】
上記中枠装置の突出部が、化粧皿の周側壁に当接する当接部分と、この当接部分の両横側端部から外側に向かって幅拡がり状に延びる一対の傾斜部分とで構成され、上記当接部分に係合部が形成されている請求項３または４記載の中枠装置。
【発明の詳細な説明】
【技術分野】
【０００１】
本発明は、化粧料容器およびこれに用いられる中枠装置に関するものである。
【背景技術】
【０００２】
従来から、ファンデーション等の化粧料を収容して携帯する化粧料容器として、図１３に示すようなコンパクト容器が出回っている。このコンパクト容器は、上面の中央に凹所３１ａが形成された容器本体３１と、この容器本体３１の上面を蓋する蓋体３２とからなり、上記容器本体３１の凹所３１ａに、固形の化粧料（図示せず）が充填された金皿３３が嵌着されている（例えば、特許文献１参照）。図において、３４はスライドピースであり、開蓋時に金皿３３の嵌着を解除する作用をする。また、このようなコンパクト容器では、容器本体３１の凹所３１ａに金皿３３をホットメルト等の接着剤で接着，固定することがよく行われている。
【０００３】
ところが、上記のコンパクト容器では、金皿３３に化粧料を打型するときに、金皿３３のサイズが大きくなる（より詳しく説明すると、上記打型により、金皿３３の一部が膨らみ、また、この膨らみ方にばらつきがある）。このため、上記容器本体３１の凹所３１ａに金皿３３を収容する際に、上記膨らんだ部分が上記凹所３１ａの内周面に当接等して容器本体３１, 金皿３３が損傷したり、変形したりするという問題がある。しかも、容器本体３１の凹所３１ａに金皿３３を嵌着しているだけであるため、運搬時等に振動や衝撃等がコンパクト容器に作用すると、上記振動や衝撃等で金皿３３や化粧料が損傷等するという問題もある。しかも、容器本体３１の凹所３１ａに金皿３３を接着剤で接着，固定するコンパクト容器では、上記接着剤が必要になるという問題もある。
【０００４】
そこで、図１４に示すようなコンパクト容器が提案されている。このコンパクト容器は、上面に収納凹部４１ａが形成された容器本体４１と、この容器本体４１を開閉する蓋体４２と、上記容器本体４１の収納凹部４１ａに固定される皿枠４３と、この皿枠４３に着脱自在に収納される化粧料皿４４とからなり、上記化粧料皿４４の左右両壁面に左右一対の係合凹部４４ａ（図では、一方の係合凹部４４ａしか図示せず）が形成されている。また、上記皿枠４３には、その環状周壁の左壁４５と、この左壁４５の前後両側に湾曲状に形成された角部４５ａ，４５ｂと、上記左壁４５に両角部４５ａ，４５ｂを介して隣接する前後壁４６，４７とに跨がって、一連に連続する水平スリット４８が上下一対に形成されている。そして、上記両水平スリット４８間に、弾性変形されてフープ応力を生じるベント部４９が形成されており、このベント部４９に、上記化粧料皿４４の左壁面の係合凹部（図示せず）に係脱自在に係合する係合凸部４９ａが形成され、上記皿枠４３の仕切り壁５０に、上記化粧料皿４４の右壁面の係合凹部４４ａに係脱自在に係合する係合凸部（図示せず）が形成されている（例えば、特許文献２参照）。図において、４４ｂは上記化粧料皿４４に収納される化粧料である。このコンパクト容器では、化粧料皿４４を皿枠４３に、弾性変形しうるベント部４９を介して固定しているため、化粧料皿４４に化粧料４４ｂを打型するときに、化粧料皿４４の一部が外側に膨らんでも、この膨らんだ部分に対応する上記ベント部４９が容易に弾性変形し、収容の際に容器本体４１, 化粧料皿４４が損傷したり、変形したりすることがない。しかも、ベント部４９が緩衝作用を有するため、運搬時等に振動や衝撃等がベント部４９に作用しても、その緩衝作用で化粧料皿４４および化粧料４４ｂを保護することができる。しかも、ホットメルト等の接着剤を必要としない。
【特許文献１】実開平１−７９４０６号公報
【特許文献２】特開２００４−８２８５号公報
【発明の開示】
【発明が解決しようとする課題】
【０００５】
しかしながら、図１４に示すコンパクト容器では、上記両水平スリット４８間に形成されたベント部４９が、皿枠４３の環状周壁の左壁４５，両角部４５ａ，４５ｂ（すなわち、上記化粧料皿４４の左壁面と、この左壁面の両側の角部）に沿って形成されているため、化粧料皿４４を皿枠４３の環状周壁内に押し込んで収納する際に、ベント部４９が化粧料皿４４の左壁面や両側の角部に当接する等して撓みにくく、大きな力で押し込まなければならないうえ、損傷したり、変形したりしやすいという問題がある。しかも、上記ベント部４９は、上記皿枠４３の環状周壁の左壁４５と両角部４５ａ，４５ｂと前後壁４６，４７とに跨がって一連に形成されているため、上記左壁４５に形成されたベント部４９の部分が、上記前後壁４６，４７に形成されたベント部４９の部分で支受された構造になっており、これにより、上記左壁４５に形成されたベント部４９の部分が、上下，左右に揺動しやすく、化粧料皿４４が上下，左右にがたつきやすいという問題がある。そして、化粧料皿４４が上下，左右にがたつくことにより、化粧料４４ｂに振動や衝撃が加わり、結果的に化粧料４４ｂの損傷につながることがある。
【０００６】
本発明は、このような事情に鑑みなされたもので、容器本体に化粧皿を取り付ける際に、小さな力で取り付けることができて、容器本体や化粧皿が損傷したり、変形したりすることがなく、しかも、振動や衝撃等で化粧皿や化粧料が損傷等することがなく、しかも、接着剤を必要とせず、しかも、化粧皿が上下，左右にがたつくことがない化粧料容器およびこれに用いられる中枠装置の提供をその目的とする。
【課題を解決するための手段】
【０００７】
上記の目的を達成するため、本発明は、上面に凹部が形成された容器本体と、この容器本体の上面を蓋する蓋体と、上記容器本体の凹部に着脱自在に収容される化粧皿とを備え、上記凹部の周側壁の一側壁の一部分が、横方向に延びる帯状弾性板部に形成され、この帯状弾性板部の一部が折り曲げられて内側に突出する突出部に形成され、この突出部に係合部が形成され、この係合部に対応する上記化粧皿の周側壁の部分に、上記係合部に着脱自在に係合する被係合部が形成されている化粧料容器を第１の要旨とし、上面に凹部が形成された容器本体と、この容器本体の上面を蓋する蓋体と、上記容器本体の凹部に収容される中枠装置とを備え、上記中枠装置が、化粧皿と、この化粧皿が着脱自在に収容される中枠とで構成され、上記中枠の周側壁の一側壁の一部分が、横方向に延びる帯状弾性板部に形成され、この帯状弾性板部の一部が折り曲げられて内側に突出する突出部に形成され、この突出部に係合部が形成され、この係合部に対応する上記化粧皿の周側壁の部分に、上記係合部に着脱自在に係合する被係合部が形成されている化粧料容器を第２の要旨とし、第２の要旨の化粧料容器に用いる中枠装置を第３の要旨とする。
【発明の効果】
【０００８】
すなわち、本発明の第１の化粧料容器は、その容器本体の凹部の周側壁の一側壁の一部分が、横方向に延びる帯状弾性板部に形成されており、この帯状弾性板部の一部が折り曲げられて内側に突出する突出部に形成されている。そして、この突出部に、化粧皿の周側壁の部分に形成された係合部に着脱自在に係合する被係合部が形成されている。したがって、化粧料として固形状のものを使用し、これにより、化粧皿に化粧料を打型するときに、化粧皿の一部が外側に膨らんでも、上記膨らんだ部分に対応する上記帯状弾性板部の部分が容易に弾性変形し、化粧皿を容器本体に小さな力で収容することができる。しかも、上記帯状弾性板部が弾性変形する際には、突出部の両側の折り曲げ部分が化粧皿の周側壁に当接しにくいうえ、上記折り曲げ部分により上記帯状弾性板部の全体が外側に伸びながらスムーズに弾性変形するため、上記帯状弾性板部や化粧皿が損傷したり、変形したりすることがない。しかも、容器本体の凹部の周側壁の一側壁の一部分にだけ帯状弾性板部が形成されているため、化粧皿が上下，左右にがたつくことがない。しかも、上記帯状弾性板部が緩衝作用を有し、運搬時等に振動や衝撃等が帯状弾性板部に作用しても、その緩衝作用で化粧皿および固形状化粧料等の化粧料を保護することができる。しかも、ホットメルト等の接着剤を必要としない。また、本発明の第２の化粧料容器は、容器本体の凹部に収容される中枠装置の中枠の周側壁の一側壁の一部分が、横方向に延びる帯状弾性板部に形成されており、この帯状弾性板部の一部が折り曲げられて内側に突出する突出部に形成されている。そして、この突出部に、化粧皿の周側壁の部分に形成された係合部に着脱自在に係合する被係合部が形成されている。したがって、本発明の第２の化粧料容器でも、本発明の第１の化粧料容器と同様に、上記優れた効果を奏する。
【０００９】
また、本発明の中皿装置は、本発明の第２の化粧料容器に用いられるもの（すなわち、化粧皿と、この化粧皿が着脱自在に収容される中枠とを備え、上記中枠の周側壁の一側壁の一部分が、横方向に延びる帯状弾性板部に形成され、この帯状弾性板部の一部が折り曲げられて内側に突出する突出部に形成され、この突出部に係合部が形成され、この係合部に対応する上記化粧皿の周側壁の部分に、上記係合部に着脱自在に係合する被係合部が形成されているもの）であり、本発明の第２の化粧料容器に用いることで、上記優れた効果を奏する。なお、本発明において、「一側壁」とは、この一側壁の両側の角部が湾曲している場合には、これらの角部をも含むものとする。また、本発明において、「容器本体の上面の凹部」は、底面開放形（容器本体の底面から化粧皿の底面が露呈しているもの）を含むものとする。
【００１０】
また、上記中枠装置の中枠の周側壁の一側壁の一部分に形成された、横方向に延びる上下一対のスリットで挟まれた部分が帯状弾性板部に形成されていると、上下一対のスリットを形成するだけで、簡単に帯状弾性板部を形成することができる。なお、本発明では、上記中枠の周側壁の一側壁の上端部および下端部の少なくとも一方を筋状に切り欠き形成することにより得られる筋状切り欠き形成部をも、スリットに含むものとする。
【００１１】
また、上記中枠装置の突出部が、化粧皿の周側壁に当接する当接部分と、この当接部分の両横側端部から外側に向かって幅拡がり状に延びる一対の傾斜部分とで構成され、上記当接部分に係合部が形成されていると、上記両傾斜部分の先端部分（当接部分の両横側端部と両傾斜部分との接合部分）および両傾斜部分の根元部分で外側に撓みやすくなり、帯状弾性板部の全体が外側に伸びながらスムーズに弾性変形する。
【発明を実施するための最良の形態】
【００１２】
つぎに、本発明の実施の形態を図面にもとづいて詳しく説明する。
【００１３】
図１は本発明の化粧料容器の一実施の形態を示している。図において、１は上面に凹部１ａが形成された合成樹脂製の容器本体（図２参照）で、２は上記容器本体１を蓋する合成樹脂製の蓋体で、３は上記容器本体１の凹部１ａに着脱自在に収容，固定される中枠装置である。この中枠装置は、図３および図４に示すように、ファンデーション等の固形状化粧料５（打型された化粧料）が充填された金属製もしくは合成樹脂製の化粧皿４と、この化粧皿４が収容される中枠６とからなっており、上記化粧皿４の周側壁（この実施の形態では、左右両側壁）の外周面に、後述する中枠６の突条（係合部）１８ａ，１３ａに着脱自在に係合する左右一対の凹溝（被係合部）４ａ，４ｂが形成されている。図１において、７は上記蓋体２の下面に接着，固定された鏡である。
【００１４】
上記中枠６は、金型成形により、中央に仕切り壁部１３を有する四角形環状枠体に一体成形されたものであり、図５〜図８に示すように、四角形環状枠体に形成された外周側壁部１１と、この外周側壁部１１の上端部外周面から突出形成された鍔部１２と、上記外周側壁部１１の左右方向中央部から前後方向に延びる仕切り壁部１３とからなっており、上記外周側壁部１１の４つの角部１１ａがそれぞれ湾曲状に形成されている。また、上記中枠６の内部は、仕切り壁部１３により、化粧皿４が収容される化粧皿収容部６ａと、パフ（図示せず）が収容されるパフ収容部６ｂとに仕切られている。
【００１５】
上記外周側壁部１１の一側壁（この実施の形態では、左側壁）１１ｂには、その略中央高さ位置に、水平方向に延びる上側スリット１５が形成されているとともに、その下端部が帯状に切り欠き形成されており、これにより、上記下端部に帯状切り欠き部１６が形成されている（図９参照）。そして、上記容器本体１の凹部１ａの底面と帯状切り欠き部１６との間に形成される帯状の隙間部分で下側スリットが形成されている。また、上記スリット１５と帯状切り欠き部１６とで挟まれた上記外周側壁部１１の部分が、帯状弾性板部１７に形成されている。この帯状弾性板部１７は、その中央部分が折り曲げ形成されて内側に突出しており、この突出部分が、上記中枠６に化粧皿４を収容された状態で（すなわち、使用時に）化粧皿４の左側壁の外周面に当接する当接部分１８と、この当接部分１８の両側端部から外側に向かって幅拡がり状に延びて上記帯状弾性板部１７の左右両側部分に連結する一対の傾斜部分１９ａ，１９ｂとからなっている。上記当接部分１８は、不使用時には、上記外周側壁部１１の左側壁１１ｂ（すなわち、上側スリット１５より上側の上記外周側壁部１１の部分）より内側に少し突出している。また、上記当接部分１８の内面に、上記化粧皿４の左側壁の外周面の左側凹溝４ａに着脱自在に係合する突条１８ａが形成されており、上記仕切り壁部１３には、その左側面に、上記化粧皿４の右側壁の外周面の右側凹溝４ｂに着脱自在に係合する突条１３ａが形成されている。なお、この実施の形態では、上記スリット１５および帯状切り欠き部１６は、上記左側壁１１ｂの両側の角部１１ａに達しない範囲で形成されているが、上記両側の角部１１ａの少なくとも一方に達していてもよい。
【００１６】
上記容器本体１には、図２に示すように、その前端部の左右方向中央部分に前側切欠き凹部２１が切欠き形成されており、この前側切欠き凹部２１に、上記蓋体２の係合爪（図示せず）に着脱自在に係合する係合凸部２１ａが形成されている。また、上記容器本体１には、その後端部の左右方向中央部分に後側切欠き凹部２２が切欠き形成されており、この後側切欠き凹部２２に、上記蓋体２の後端部（図示せず）がヒンジ連結されている。
【００１７】
上記の構成において、固形状化粧料５が充填された化粧皿４を、上記容器本体１に設けた中枠装置３の中枠６に収容する（すなわち、中皿装置３を組み付ける）場合には、化粧皿４を中枠６の化粧皿収容部６ａに押し込むことを行う（図１０および図１１参照）。これにより、化粧皿４の左側壁が帯状弾性板部１７の当接部分１８に摺接しながら下降して、化粧皿４の左側壁の外周面の左側凹溝４ａと当接部分１８の内面の突条１８ａとが着脱自在に係合し、一方、化粧皿４の右側壁が仕切り壁部１３に摺接しながら下降して、化粧皿４の右側壁の外周面の右側凹溝４ｂと仕切り壁部１３の内面の突条１３ａとが着脱自在に係合し、化粧皿４が中枠６の化粧皿収容部６ａに収容，固定される。そして、上記係合の際に、帯状弾性板部１７の当接部分１８と傾斜部分１９ａ，１９ｂとの接合部分、および傾斜部分１９ａ，１９ｂと帯状弾性板部１７の左右両側部分との接合部分でスムーズに弾性変形しながら、帯状弾性板部１７の全体が外側に伸びるようにして撓み、上記係合がスムーズに行われる。しかも、このとき、化粧皿４の左側壁が中枠６の帯状弾性板部１７にほとんど当接しない。また、化粧皿４に固形状化粧料５を充填する（すなわち、化粧皿４に化粧料５を打型する）際に、化粧皿４の一部が膨らんでいても、上記中枠６の帯状弾性板部１７が弾性変形するため、上記膨らんだ部分に対応する上記帯状弾性板部１７の部分が容易に弾性変形し、化粧皿４を中枠６に収容することができる。
【００１８】
上記のように、この実施の形態では、中枠装置３の中枠６に帯状弾性板部１７が形成されているため、化粧料５の打型時に化粧皿４の一部が膨らんでいても、帯状弾性板部１７が容易に弾性変形し、化粧皿４を中枠６内に収容することができる。しかも、上記帯状弾性板部１７が弾性変形する際には、帯状弾性板部１７の全体が外側に伸びるようにしてスムーズに撓むうえ、化粧皿４の左側壁が中枠６の帯状弾性板部１７にほとんど当接しないため、小さな力で収容できるうえ、収容時に、上記帯状弾性板部１７や化粧皿４が損傷したり、変形したりすることがない。しかも、中枠６の左側壁１１ｂにだけ帯状弾性板部１７が形成されているため、上下，左右に揺動することがなく、化粧皿４が上下，左右にがたつくことがない。しかも、帯状弾性板部１７がクッションの役目を果たし、化粧皿４を保護することができる。しかも、接着剤を必要としない。
【００１９】
図１２は本発明の化粧料容器の他の実施の形態を示している。この実施の形態では、容器本体１に中枠装置３を設けていない。このため、容器本体１の周側壁部８を内外二重壁８ａ，８ｂで構成し、その内側壁８ａの左側壁８ｃに、上下一対のスリット１５ａ，１５ｂを設け、両スリット１５ａ，１５ｂで挟まれた部分を帯状弾性板部１７としている。それ以外の部分は上記実施の形態と同様であり、同様の部分には同じ符号を付している。この実施の形態でも、上記実施の形態と同様の作用・効果を奏する。
【００２０】
なお、上記両実施の形態では、容器本体１もしくは中枠６に、係合部として、突条１３ａ，１８ａを設けているが、凸部, 凹部等の各種の係合部を設けることができる。また、化粧皿４に、被係合部として、凹溝４ａ，４ｂを設けているが、凸部, 凹部等の各種の被係合部を設けることができる。また、上記帯状弾性板部１７を上記外周側壁部８，１１から内側に突出形成してもよい。
【図面の簡単な説明】
【００２１】
【図１】本発明の化粧料容器の一実施の形態を示す断面図である。
【図２】容器本体の平面図である。
【図３】中枠装置の平面図である。
【図４】上記中枠装置の断面図である。
【図５】中枠の平面図である。
【図６】上記中枠の底面図である。
【図７】上記中枠の側面図である。
【図８】上記中枠の断面図である。
【図９】上記中枠の要部の斜視図である。
【図１０】上記中枠装置の組み付け要領を示す斜視図である。
【図１１】上記中枠装置の組み付け要領を示す斜視図である。
【図１２】本発明の化粧料容器の他の実施の形態を示す断面図である。
【図１３】従来例を示す断面図である。
【図１４】他の従来例を示す分解斜視図である。
【符号の説明】
【００２２】
１  容器本体
１ａ  凹部
２  蓋体
３  中枠装置
４  化粧皿
４ａ  凹溝
６  中枠
１１ｂ  左側壁
１７  帯状弾性板部
１８ａ  突条
【図１】
2005270194.tif 000003
【図２】
2005270194.tif 000004
【図３】
2005270194.tif 000005
【図４】
2005270194.tif 000006
【図５】
2005270194.tif 000007
【図６】
2005270194.tif 000008
【図７】
2005270194.tif 000009
【図８】
2005270194.tif 000010
【図９】
2005270194.tif 000011
【図１０】
2005270194.tif 000012
【図１１】
2005270194.tif 000013
【図１２】
2005270194.tif 000014
【図１３】
2005270194.tif 000015
【図１４】
2005270194.tif 000016